(57)【特許請求の範囲】
【請求項１】
下端に床面に設置する脚体部を備える左右一対の支柱と、
該一対の支柱の上端部同士を連結し上面に配線部を有する天板体と、
該天板体よりも下方の所定位置で前記一対の支柱同士を連結する連結杆と、
該連結杆に設けられ左右方向に延びる前後一対の側壁を有する配線受けと、
から成る枠体の前後面を、前後一対のカバー体により遮蔽し、該カバー体の遮蔽により配線収納空間を形成する配線収納装置であって、
前記一対のカバー体の内側面に取付部が設けられるとともに、前記配線受けの外側面に前記取付部を着脱可能な被取付部が設けられ、前記カバー体は、該カバー体の上縁部が前記天板体の周縁部に沿う高さ位置において、前記取付部が前記被取付部に取付けられ、前記枠体を遮蔽していることを特徴とする配線収納装置。
【請求項２】
前記天板体は、左右方向の長辺部及び前後方向の短辺部を有する略矩形状の箱状部と、該箱状部よりも外方に張出した周縁部と、から成り、
前記カバー体は、前記箱状部の長辺部及び両短辺部の一部を遮蔽する上面視略コ字状に形成されており、
前記取付部と前記被取付部とは、略水平方向に相対動作することで取付け可能に構成されていることを特徴とする請求項１に記載の配線収納装置。
【請求項３】
前記カバー体は、該カバー体の上縁部が前記周縁部の下方近傍に沿う高さ位置において、前記取付部が前記被取付部に取付けられることを特徴とする請求項１または２に記載の配線収納装置。
【請求項４】
前記配線受けは、前記連結杆の上面に固設されていることを特徴とする請求項１ないし３のいずれかに記載の配線収納装置。
【請求項５】
前記脚体部は、該脚体部の下面が床面に接地する平板の板状体から成ることを特徴とする請求項１ないし４のいずれかに記載の配線収納装置。
【発明の詳細な説明】
【技術分野】
【０００１】
本発明は、机等の後方若しくは机等の天板下方に設置され、机上の機器の配線を機能的に収納するための配線収納装置であって、支柱、天板体、連結杆、及び配線受けから成る枠体の前後面を、前後一対のカバー体により遮蔽し、このカバー体の遮蔽により配線収納空間を形成する配線収納装置に関する。
【背景技術】
【０００２】
従来の配線収納装置は、机等の後方に別体で設置され、上面にコンセントユニットやネットワークケーブルの取付部、若しくは配線材用の開口部を備え、内部をこれら配線材用の収納空間としている（例えば、特許文献１参照）。
【０００３】
【特許文献１】特開２００１−１３５９４９号公報（第３頁、第３図）
【発明の開示】
【発明が解決しようとする課題】
【０００４】
しかしながら、特許文献１にあっては、収納空間に構成される配線受けが同一高さに複数設けられており、これらを個別にカバー体によって遮蔽するため、支柱同士を連結する連結杆が外部に露呈して体裁が好ましくない。また、カバー体内側の収納空間に塵芥等が進入してしまう虞も生じていた。
【０００５】
本発明は、このような問題点に着目してなされたもので、配線収納装置の構成部材を遮蔽して外観体裁を好ましくして、且つカバー体内側に形成される収納空間に塵芥等が進入することを防止できる配線収納装置を提供することを目的とする。
【課題を解決するための手段】
【０００６】
上記課題を解決するために、本発明の請求項１に記載の配線収納装置は、
下端に床面に設置する脚体部を備える左右一対の支柱と、
該一対の支柱の上端部同士を連結し上面に配線部を有する天板体と、
該天板体よりも下方の所定位置で前記一対の支柱同士を連結する連結杆と、
該連結杆に設けられ左右方向に延びる前後一対の側壁を有する配線受けと、
から成る枠体の前後面を、前後一対のカバー体により遮蔽し、該カバー体の遮蔽により配線収納空間を形成する配線収納装置であって、
前記一対のカバー体の内側面に取付部が設けられるとともに、前記配線受けの外側面に前記取付部を着脱可能な被取付部が設けられ、前記カバー体は、該カバー体の上縁部が前記天板体の周縁部に沿う高さ位置において、前記取付部が前記被取付部に取付けられ、前記枠体を遮蔽していることを特徴としている。
この特徴によれば、支柱、天板体、連結杆、及び配線受けからなる枠体の前後面に、前後一対のカバー体が着脱可能に取付けられることで、カバー体を開放した状況下では枠体の前後両側方から容易に配線用の材料を配線受けに載置できるとともに、カバー体の取付部を配線受けの被取付部に取付けるだけで、カバー体の上縁部と天板体の周縁部とに隙間をほとんど形成することなく、配線収納空間への塵芥等の進入を防ぐことができる。また、配線収納装置の上面を配線部を有する天板体で形成するとともに、前後面をカバー体で形成することで、外観体裁を損なうことがない。
【０００７】
本発明の請求項２に記載の配線収納装置は、請求項１に記載の配線収納装置であって、
前記天板体は、左右方向の長辺部及び前後方向の短辺部を有する略矩形状の箱状部と、該箱状部よりも外方に張出した周縁部と、から成り、
前記カバー体は、前記箱状部の長辺部及び両短辺部の一部を遮蔽する上面視略コ字状に形成されており、
前記取付部と前記被取付部とは、略水平方向に相対動作することで取付け可能に構成されていることを特徴としている。
この特徴によれば、カバー体の上縁部を、周縁部の下方近傍の高さ位置に合わせ、且つ上面視略コ字状のカバー体の両側部を、箱状部の両短辺部の一部を遮蔽する水平位置に合わせて、カバー体を枠体に向けて外方側から略水平方向に押圧動作することで、カバー体を取付ける際に目視し難くなる内方側の取付部及び被取付部を目視確認する必要なく、外方側から容易に位置合わせしてカバー体を枠体に取付けることができる。
【０００８】
本発明の請求項３に記載の配線収納装置は、請求項１または２に記載の配線収納装置であって、
前記カバー体は、該カバー体の上縁部が前記周縁部の下方近傍に沿う高さ位置において、前記取付部が前記被取付部に取付けられることを特徴としている。
この特徴によれば、カバー体が、周縁部の下方位置において取付けられることで、カバー体と周縁部との隙間を側方に向けて形成できるため、上方から落下する塵芥等が隙間を通じて配線収納空間に進入し難い。
【０００９】
本発明の請求項４に記載の配線収納装置は、請求項１ないし３のいずれかに記載の配線収納装置であって、
前記配線受けは、前記連結杆の上面に固設されていることを特徴としている。
この特徴によれば、連結杆の上面に固設されている配線受け上に載置した配線用の材料の重量を、連結杆で受けることになるため、配線用の材料を安定して収納できる。
【００１０】
本発明の請求項５に記載の配線収納装置は、請求項１ないし４のいずれかに記載の配線収納装置であって、
前記脚体部は、該脚体部の下面が床面に接地する平板の板状体から成ることを特徴としている。
この特徴によれば、平板の板状体から成る脚体部の下面を、床面に接地することで、配線収納装置を床面に対し安定して設置することができる。
【発明を実施するための最良の形態】
【００１１】
本発明の実施例を以下に説明する。
【実施例】
【００１２】
本発明の実施例を図面に基づいて説明すると、先ず図１は、本発明の実施例における配線収納装置の全体像を示す斜視図である。図２は、配線収納装置の内部を示す一部破断図である。図３（ａ）は、カバー体の正面図であり、（ｂ）は、同じく平面図である。図４は、配線収納装置の側面図である。図５は、枠体の底面図である。
【００１３】
図１の符号１は、本実施例における配線収納装置である。この配線収納装置１は、上面視略長方形の矩形状であって、支柱１２、連結杆１３、天板体１５等から成る枠体１０と、枠体１０の前後面を遮蔽する前後一対のカバー体１１、１１と、から主として構成されており、このカバー体１１が枠体１０を遮蔽することで配線用の材料が収納可能な配線収納空間Ｓが形成される。
【００１４】
配線収納装置１は、床面Ｙに形成された配線用の材料の延設用の開口Ｈを被覆する位置であって、且つ長辺側がデスク２の側辺に沿う位置において、床面Ｙに設置されており、その上下寸法は、デスク２の脚４の寸法よりも若干小さく形成されている。
【００１５】
配線受け１４の上面には、テーブルタップ５、６、若しくは通信ケーブル用の図示しないハブなどが載置されており、デスク２の天板３上面から配線部としての開口部１５ａ、１５ｂに通じる電源ケーブルＰ若しくは通信ケーブルＬなどの配線用の材料が、テーブルタップ５、６若しくは前記ハブを介し、あるいは直接に開口Ｈを通じ、図２に示される床面Ｙ下方に形成される配線空間Ｕにおいて延設されるようになっている。
【００１６】
このようにすることで、デスク２等から延びる配線用の材料が、配線収納装置１内部の配線収納空間Ｓを通じ、配線収納装置１により遮蔽された開口Ｈを介して配線空間Ｕに延設されることになり、すなわち配線用の材料を完全に外部から遮蔽した状態で延設でき、外観体裁を損なうことがない。
【００１７】
次に、配線収納装置１の構造について詳しく説明する。
【００１８】
図１及び図２に示されるように、先ず、枠体１０について説明すると、左右一対の支柱１２、１２と、この支柱１２、１２の上端部同士を連結する天板体１５と、この天板体１５よりも下方の２箇所の所定位置において支柱１２、１２同士を連結する連結杆１３、１３と、この連結杆の上面に固設される配線受け１４と、から成る構造を有している。以下、一対のカバー体１１、１１が取付けられる方向を前後方向、一対の支柱１２、１２が対向する方向を左右方向として説明する。
【００１９】
枠体１０を構成する左右一対の支柱１２、１２は、その下端に床面Ｙに設置する脚体部１９、１９を備え、また一対の支柱１２、１２間には、天板体１５及び連結杆１３、１３が固定に連結されている。そして枠体１０の前後面をカバー体１１により後述のように取付けることで、このカバー体１１の内部において、天板体１５と連結杆１３との上下間、両連結杆１３の上下間、及び連結杆１３と床面Ｙとの上下間に配線用の材料の延設用の空間が形成される。
【００２０】
天板体１５は、上下面が連通開口し、左右方向の長辺部１７ａ及び前後方向の短辺部１７ｂを有する略矩形状の箱状部１７と、この箱状部１７に連通する配線部としての開口部１５ａ、１５ｂ、１５ｃ、及び箱状部１７よりも外方に張出した周縁部１６ａを有する上面部１６と、から成る。図１に示されるように、開口部１５ａ及び開口部１５ｃには取外し可能な蓋体が被覆されており、更に開口部１５ａは、該蓋体に設けられた小孔部と連通し、電源ケーブルＰのみが挿通されている。このように、延設する配線用の材料の数量、配線箇所などに応じて、各開口部１５ａ〜１５ｃに蓋体を適宜着脱することで、異物等の配線収納空間Ｓへの混入を防止できるばかりか見栄えもよい。
【００２１】
次に、図１及び図３（ａ）、（ｂ）に示されるように、各カバー体１１は、箱状部１７の長辺部１７ａ及び両短辺部１７ｂ、１７ｂの一部を遮蔽する上面視略コ字状に形成されており、カバー体１１の内側面において上下左右の計４箇所に取付部２０が設けられる。
【００２２】
また、図１及び図４に示されるように、配線受け１４は、左右方向に延びる前後一対の側壁を有し、連結杆１３の上面に固設されている。このようにすることで、連結杆１３の上面に固設されている配線受け１４上に載置した配線用の材料の重量を、連結杆１３で受けることになるため、配線用の材料を安定して収納できる。
【００２３】
上記した取付部２０に対応し、配線受け１４、１４の前後の外側面における所定箇所に、被取付部２１が、取付部２０を着脱可能に設けられる。具体的には、図４の鎖線囲い部に示されるように、カバー体１１の上縁部１１ａが周縁部１６ａに沿う高さ位置、より詳細には、カバー体１１の上縁部１１ａが周縁部１６ａの下方近傍に沿う高さ位置において、カバー体１１の取付部２０が配線受け１４の被取付部２１に取付けられるように成っている。すなわち、カバー体１１の取付部２０が、枠体１０を構成する配線受け１４の被取付部２１に取付けられることで、カバー体１１が枠体１０を遮蔽し、内部に配線収納空間Ｓを形成する。
【００２４】
取付部２０及び被取付部２１の構造は、詳細に図示しないが、樹脂製であって、先端が膨出した膨出部を備え、枠体１０に向けて水平方向に凸形状の取付部２０と、前記膨出部を収容可能に水平方向を向いて開口した凹形状の被取付部２１とから成り、このように構成することで、略水平方向に相対動作するのみで着脱可能であって、取付けた状態においては、取付部２０の前記膨出部が被取付部２１内に収容されて係合されるため、容易に外れない構造となっている。
【００２５】
尚、取付部及び被取付部の材質、形状、または取付け構造については、必ずしも上述に限られず、例えば、取付部として軸回りに回動する係合ピンが構成されるとともに、被取付部として前記係合ピンを係合可能な凹状部が構成されており、カバー体を枠体側に押圧することで前記係合ピンが回動して前記凹状部に係合され、カバー体の外側面に設けた取外し用のレバーを引出し操作することで係合ピンを逆回動し凹状部から取外すようにしてもよい。
【００２６】
連結杆１３と、被取付部２１が設けられた配線受け１４とは、上下方向に離間して複数（２箇所）設けられており、このようにすることで、上下方向に複数設けた連結杆１３により、左右一対の支柱１２、１２をしっかりと支持でき、また上下に複数設けた配線受け１４を適宜用いて、配線用の材料の延長に応じ整理して収納できる。
【００２７】
カバー体１１が上記のように構成されていることで、カバー体１１の取付けの際に、カバー体１１の上縁部１１ａを、周縁部１６ａの下方近傍の高さ位置に合わせ、且つ上面視略コ字状のカバー体１１の両側部１１ｂ、１１ｂを、箱状部１７の両短辺部１７ｂ、１７ｂをの略半分を遮蔽する水平位置に合わせて、カバー体１１を枠体１０に向けて外方側から略水平方向に押圧動作することで、カバー体１１を取付ける際に目視し難くなる内方側の取付部２０及び被取付部２１を目視確認する必要なく、外方側から容易に目視で位置合わせしてカバー体１１を枠体１０に取付けることができる。
【００２８】
またこのように、カバー体１１が、周縁部１６ａの下方位置において取付けられることで、カバー体１１の上縁部１１ａと周縁部１６ａとの隙間を上方ではなく側方に向けて形成できるため、上方から落下する塵芥等が隙間を通じて配線収納空間Ｓに進入し難い。
【００２９】
カバー体１１は、下端部が床面Ｙ近傍まで延設されており、このようにすることで、カバー体１１の内部に形成される配線収納空間Ｓを床面近傍まで大きく確保でき、更に、本実施例のように配線収納装置１が設置された床面Ｙに配線延設用の開口Ｈが形成されている場合、カバー体１１により開口Ｈを被覆することで配線用の材料をほぼ完全に遮蔽することができる。
【００３０】
また、図４の鎖線囲い部に示されるように、前後一対のカバー体１１は、側部１１ｂが支柱１２の略半分をそれぞれ被覆し、支柱１２の外側方で対向する側部１１ｂ、１１ｂが近接若しくは当接する位置において枠体１０に取付けられる。このようにすることで、前後一対のカバー体１１、１１により枠体１０の側方を略全周に亘って遮蔽することができる。
【００３１】
更に、図５に示されるように、脚体部１９は、この脚体部１９の下面が床面Ｙに接地する平板の板状体から成る。このように平板の板状体から成る脚体部１９の下面を、床面Ｙに接地することで、配線収納装置１を床面Ｙに対し安定して設置することができる。
【００３２】
上述したように、一対のカバー体１１の内側面に取付部２０が設けられるとともに、この取付部２０を着脱可能に、配線受け１４の外側面に被取付部２１が設けられ、カバー体１１は、カバー体１１の上縁部１１ａが天板体１５の周縁部１６ａに沿う高さ位置において、取付部２０が被取付部２１に取付けられ、枠体１０を遮蔽している。このように、支柱１２、天板体１５、連結杆１３、及び配線受け１４からなる枠体１０の前後面に、前後一対のカバー体１１が着脱可能に取付けられることで、カバー体１１を開放した状況下では枠体１０の前後両側方から容易に配線用の材料を配線受け１４に載置できるとともに、カバー体１１の取付部２０を配線受け１４の被取付部２１に取付けるだけで、カバー体１１の上縁部１１ａと、天板体１５の周縁部１６ａとに隙間をほとんど形成することなく、配線収納空間Ｓへの塵芥等の進入を防ぐことができる。また、配線収納装置１の上面を配線部としての開口部１５ａ、１５ｂ、及び１５ｃを有する天板体１５で形成するとともに、前後面をカバー体１１で形成することで、外観体裁を損なうことがない。
【００３３】
また、前後一対のカバー体１１、１１は、略同形状であって、内側面の略同じ位置において取付部２０が設けられているとともに、配線受け１４の被取付部２１は、前後一対の対称位置に設けられており、このようにすることで、略同形状であって略同じ位置において取付部２０が設けられた一対のカバー体１１、１１の何れも、枠体１０の前後何れの面にも取付けることができるため、一対のカバー体１１、１１それぞれの取付け面を前後区別する必要なく、取付けが容易になる。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
例えば、上記実施例では、天板体１５の上面に構成される配線部は開口部１５ａ、１５ｂ、１５ｃであって、上面に蓋体が着脱可能に設けられているが、開口部の数量や蓋体の有無は本実施例に限られない。また、例えば配線部は、電源コンセントであってもよいし、またＬＡＮケーブル等の通信ケーブルを接続するコネクタであってもよい。
【００３６】
また例えば、上記実施例では、天板体１５の下方の２箇所において、連結杆１３が左右一対の支柱１２、１２を連結しているが、連結杆は、支柱の上下長さに応じて、天板体の下方の１箇所のみにおいて支柱を連結してもよいし、また天板体の下方の３箇所以上において支柱を連結してもよい。更に、配線受けは、必ずしも全ての連結杆に設けられる必要はなく、適宜選択された連結杆のみに設けられていてもよい。
【図面の簡単な説明】
【００３７】
【図１】本発明の実施例における配線収納装置の全体像を示す斜視図である。
【図２】配線収納装置の内部を示す一部破断図である。
【図３】（ａ）は、カバー体の正面図であり、（ｂ）は、同じく平面図である。
【図４】配線収納装置の側面図である。
【図５】枠体の底面図である。
【符号の説明】
【００３８】
１                配線収納装置
１０              枠体
１１              カバー体
１２              支柱
１３              連結杆
１４              配線受け
１５              天板体
１５ａ〜１５ｃ    開口部（配線部）
１６              上面部
１７              箱状部
１９              脚体部
２０              取付部
２１              被取付部
【図１】
0004889611.tif 000002
【図２】
0004889611.tif 000003
【図３】
0004889611.tif 000004
【図４】
0004889611.tif 000005
【図５】
0004889611.tif 000006